(57)【要約】  流動体（１０）を吐出するためのディスペンサ装置（２）であって、ノズル（３１）と、前記ノズルの閉鎖部材（３０）と、前記ノズルに対して前記閉鎖部材を動かすように構成された少なくとも１つの磁石（４２，４６，４８）とを備える。
2014522316.tif 000002
【特許請求の範囲】
【請求項１】
流動体（１０）を吐出するためのディスペンサ装置（２）であって、
ノズル（３１）と、
前記ノズルの閉鎖部材（３０）と、
前記ノズルに対して前記閉鎖部材を動かすように構成された少なくとも１つの磁石（４２，４６，４８）とを備えることを特徴とするディスペンサ装置。
【請求項２】
前記磁石が１つである場合の該１つの磁石、又は、前記磁石が複数である場合の該複数の磁石のうちの１つの磁石（４８）が、前記閉鎖部材を前記ノズルとは反対の方向に動かすように構成されていることを特徴とする、請求項１記載のディスペンサ装置。
【請求項３】
前記磁石が１つである場合の該１つの磁石、又は、前記磁石が複数である場合の該複数の磁石のうちの１つの磁石（４６）が、前記閉鎖部材を前記ノズルの方向に動かすように構成されていることを特徴とする、請求項１又は２記載のディスペンサ装置。
【請求項４】
前記閉鎖部材を前記ノズルとは反対の方向に動かすように構成された第１の磁石（４８）と、
前記閉鎖部材を前記ノズルの方向に動かすように構成された第２の磁石（４６）とを備えることを特徴とする、請求項１〜３のいずれか１つに記載のディスペンサ装置。
【請求項５】
前記磁石が１つである場合の該１つの磁石、又は、前記磁石が複数である場合の該複数の磁石のうちの少なくとも１つの磁石（４６，４８）が、前記閉鎖部材に対して動くように取り付けられていることを特徴とする、請求項１〜４のいずれか１つに記載のディスペンサ装置。
【請求項６】
前記磁石が１つである場合の該１つの磁石、又は、前記磁石が複数である場合の該複数の磁石のうちの少なくとも１つの磁石（４２）が、前記閉鎖部材に固定されていることを特徴とすることを特徴とする、請求項１〜５のいずれか１つに記載のディスペンサ装置。
【請求項７】
前記ノズル及び前記閉鎖部材に対して可動に取り付けられた磁石支持部材（４４）と、
ポンプ（４）と、
前記ポンプの外側に配置され、前記磁石支持部材を戻すための戻しバネ（６２）とを備えることを特徴とする、請求項１〜６のいずれか１つに記載のディスペンサ装置。
【請求項８】
前記閉鎖部材は、ピストンを備え、
前記ピストンは、前記ディスペンサ装置の供給オリフィス（２４）における流動体圧力が、前記閉鎖部材を前記ノズルとは反対の方向に動かそうとするように配設されていることを特徴とする、請求項１〜７のいずれか１つに記載のディスペンサ装置。
【請求項９】
前記ノズル（３１）と前記閉鎖部材（３０）との互いの接触面が、該閉鎖部材が該ノズルに対して動く方向に対して傾斜していることを特徴とする、請求項１〜８のいずれか１つに記載のディスペンサ装置。
【請求項１０】
前記閉鎖部材をガイドするための凸状部（３６）を有する流動体流出ダクト（２６）を備えることを特徴とする、請求項１〜９のいずれか１つに記載のディスペンサ装置。
【請求項１１】
請求項１〜１０のいずれか１つに記載のディスペンサ装置（２）を備えることを特徴とする容器。
【請求項１２】
請求項１１に記載の容器と、
ケア用品、化粧品及び洗面用品のうちの少なくとも１つの一部を形成する流動体（１０）とを備えることを特徴とする物品。
【発明の詳細な説明】
【技術分野】
【０００１】
本発明は、ケア用品、化粧品又は洗面用品のような流動体を吐出するためのディスペンサ装置に関する。
【背景技術】
【０００２】
特許文献１には、特に、ディスペンサ装置を備えた流動体用容器が開示されている。このディスペンサ装置は、押しボタンを備え、この押しボタンを操作すると、スライダ部が後退して、流動体供給ノズルの開口部が開くように構成されている。
【先行技術文献】
【特許文献】
【０００３】
【特許文献１】仏国特許出願公開第２８３８０７０号明細書
【発明の概要】
【発明が解決しようとする課題】
【０００４】
洗面用品、ケア用品又は化粧品の組成はますます複雑になってきており、これら用品の特性及び挙動により、新規なディスペンサ装置の設計が常に必要とされている。
【０００５】
このようなディスペンサ装置は、さまざまな機能を有する。これらの装置は、閉鎖状態においては漏れがないように、また、使い方が簡単であるように構成されるべきである。流動体のせいで、閉鎖部材がノズルに固着してしまうべきではない。流動体がノズルの外側で乾燥すべきではない。これによって、吐出の際に、流動体が噴出したりまっすぐに出なかったり、また、出てきた流動体に塊や小片が含まれることがある。ノズルと、流動体をディスペンサ装置まで吸い上げるポンプとの間において、流動体が占める容積、すなわち、「デッド」容積はできるだけ小さいことが望ましい。このことによって、ディスペンサ装置の機構の操作が容易になり、流動体がこの容積内に長期間滞留することが防止される。さらには、ディスペンサ装置が安価であることも望ましい。
【０００６】
上記の状況に鑑み、本発明は新規なディスペンサ装置を提供することを目的の１つとする。
【課題を解決するための手段】
【０００７】
上記の目的を達成するために、本発明は、ノズルと、前記ノズルの閉鎖部材と、前記ノズルに対して前記閉鎖部材を動かすように構成された少なくとも１つの磁石とを備える流動体用ディスペンサ装置を提供する。
【０００８】
これにより、磁石の存在によって、特に構成部品の数が減って、構造が格段に簡単になり、その結果、組み立ても簡単になる。閉鎖部材を磁力の相互作用によって動かすために、どの部品同士も直接接触する必要がない。さらには、本発明によって、構成中のデッド容積が非常に小さくなり、費用が抑えられ得る。
【０００９】
前記磁石が１つである場合の該１つの磁石、又は、前記磁石が複数である場合の該複数の磁石のうちの１つの磁石が、前記閉鎖部材を前記ノズルとは反対の方向に動かすように構成されている、ことが有利である。
【００１０】
前記磁石が１つである場合の該１つの磁石、又は、前記磁石が複数である場合の該複数の磁石のうちの１つの磁石が、前記閉鎖部材を前記ノズルの方向に動かすように構成されている、ことが有利である。
【００１１】
前記ディスペンサ装置は、前記閉鎖部材を前記ノズルとは反対の方向に動かすよう構成された第１の磁石と、前記閉鎖部材を前記ノズルの方向に動かすよう構成された第２の磁石とを備える、ことが好ましい。
【００１２】
このように、磁力の相互作用によって、ノズルの開放及び閉鎖の両方が行われる。したがって、閉鎖部材を２つの方向のうちの一方に動かすための戻しバネを設けなくても済む。また、構成部品の数が格段に少なくなり得る。
【００１３】
一実施形態において、前記磁石が１つである場合の該１つの磁石、又は、前記磁石が複数である場合の該複数の磁石のうちの少なくとも１つの磁石が、前記閉鎖部材に対して動くように取り付けられる。
【００１４】
前記磁石が１つである場合の該１つの磁石、又は、前記磁石が複数である場合の該複数の磁石のうちの少なくとも１つの磁石が、前記閉鎖部材に固定されていてもよい。
【００１５】
このようにすると、磁石と相互作用させる目的で、閉鎖部材に強磁性の材料を用いる必要がなくなる。
【００１６】
前記ディスペンサ装置は、前記ノズル及び前記閉鎖部材に対して可動に取り付けられた磁石支持部材と、ポンプと、前記ポンプの外側に配置され、前記磁石支持部材を戻すための戻しバネとを備えていてもよい。
【００１７】
前記閉鎖部材は、ピストンを備え、前記ピストンは、前記ディスペンサ装置の供給オリフィスにおける流動体圧力が、前記閉鎖部材を前記ノズルとは反対の方向に動かそうとするように配設されている、ことが好ましい。
【００１８】
このようにすると、ポンプからの流動圧力が閉鎖部材にかかって該閉鎖部材を開放位置へと付勢する。したがって、閉鎖部材を動かして開放するための手段を小型化することが可能になる。また、この構成によって、閉鎖部材の動きも加速され得る。
【００１９】
前記ノズルと前記閉鎖部材との互いの接触面が、該閉鎖部材が該ノズルに対して動く方向に対して傾斜している、ことが有利である。
【００２０】
このように傾斜した面は、閉鎖部材とノズルとの接触領域を小さくし、閉鎖部材とノズルとの間に介在し得る何らかの流動体のせいで、閉鎖部材がノズルに固着してしまう危険が軽減される。
【００２１】
前記ディスペンサ装置は、前記閉鎖部材をガイドするための凸状部を有する流動体流出ダクトを備える、ことが有利である。
【００２２】
前記凸状部によって、閉鎖部材と他の部品との接触面積が縮小され、それに応じて、ノズルが開閉されるときの動きに対する摩擦が低減される。さらに、前記凸状部は、閉鎖部材が前記流動体流出ダクトに固着してしまうリスクを抑える。その一方で、前記凸状部は、閉鎖部材に沿って流動体が通過することを許容する。
【００２３】
本発明はまた、本発明によるディスペンサ装置を備える、ボトルのような容器を提供する。
【００２４】
上記のような容器と、ケア用品、化粧品及び洗面用品のうちの少なくとも１つの一部を形成する流動体とを備える物品（製品）も提供される。
【００２５】
本発明のその他の特徴および利点は、添付の図面を参照して説明される、以下の実施形態によって、更に明らかとなる。尚、以下の実施形態は、本発明を限定するものではない。
【図面の簡単な説明】
【００２６】
【図１】図１は、本発明のディスペンサ装置を示す斜視図である。
【図２】図２は、図１のディスペンサ装置を備える容器の、図１のII−II面に沿った断面斜視図である。
【図３】図３は、図１のディスペンサ装置を備える容器において、ノズルの閉鎖状態を、ディスペンサ装置以外の部分を簡略化して示す、図１のII−II面に沿った断面図である。
【図４】図４は、図１のディスペンサ装置を備える容器において、ノズルの開放状態を、ディスペンサ装置以外の部分を簡略化して示す、図１のII−II面に沿った断面図である。
【図５】図５は、図１のディスペンサ装置のＶ−Ｖ面における部分断面図である。
【図６】図６は、図１のディスペンサ装置の一構成部品の斜視図である。
【図７】図７は、図１のディスペンサ装置の一構成部品の斜視図である。
【図８】図８は、図１のディスペンサ装置の一構成部品の斜視図である。
【図９】図９は、図１のディスペンサ装置の一構成部品の斜視図である。
【図１０】図１０は、図１のディスペンサ装置の一構成部品の斜視図である。
【発明を実施するための形態】
【００２７】
図１〜図５は、粘性を有する流動体１０を吐出する（小出しする）ためのディスペンサ装置２と、そのポンプ４とを示す。
【００２８】
図２に示すように、ポンプを備えるディスペンサ装置２は、流動体タンク８を有するボトル６のような容器の一部を構成する。ポンプ本体４は、下部流入管１３を備え、この流入管１３の下端部は、前記流動体タンクの底部にまで延びて流動体１０に浸った状態になっている。ディスペンサ装置２は、前記流動体タンクの頂部に取り付けられて該タンクを閉鎖し、装飾用帯状部材１１と連結されている。
【００２９】
ディスペンサ装置２は、当該装置の頂部を構成する押しボタン１６を備える。押しボタン１６は、帯状部材１１から突出しており、その基部は帯状部材１１の頂部内に貫入されている。押しボタン１６は、具体的には、特に図６及び図７に示すように、円板状の上面１８と、軸１４に垂直な面において円形断面を有する円筒状側面１９とを備える。押しボタン１６は、軸１４に沿って、タンク１８に対してスライド可能に取り付けられている。
【００３０】
前記ポンプは、それ自体公知の種類のものであって、本明細書では詳細には説明しないが、ポンプ本体４と、該ポンプ本体をタンクに接続するポンプ座部２０とを備える。前記ポンプ本体は、上部出口、すなわち、流動体流出管２２を備え、この流動体流出管２２は、ポンプ本体の頂部から突出しているとともに、下部流入管１３と同様に、軸１４と平行である。上部流出管２２は、前記押しボタンのスリーブ２４に固定されており、且つ、ポンプ本体に対して軸１４に沿ってスライド可能に取り付けられている。したがって、使用者が上面１８を押すと、タンク及び帯状部材に対して、押しボタン１６が流出管２２と一体的に押し下げられ、これにより流動体１０が流入管１３からポンプ本体４に汲み上げられ、さらには、流出管２２及び押しボタン１６のスリーブ２４内へと汲み上げられる。
【００３１】
この構成において、前記帯状部材１１は、互いにつながってディスペンサ装置の主軸１４を取り囲む４つの外表面１２を有する。前記軸に垂直な面に沿った断面において、前記帯状部材は、略矩形状であって該矩形が帯状部材の底部から頂部に向かって小さくなる形状を有する。帯状部材は、これ以外の形状であってもよい。
【００３２】
押しボタン１６は、軸１４に対して垂直な横方向に延びる収容部２６（ハウジング）を備える。前記スリーブ２４の内側流路の頂部が、収容部２６内に開口している。前記収容部の外側端部３１は、円筒状側面１９において、具体的には側面１９から突出する凸状部２８において開口している。前記端部３１が流動体を吐出するディスペンサ・ノズルを構成する。
【００３３】
収容部２６は、内部閉鎖部材３０、すなわちピン部材を受け入れる。閉鎖部材３０は、前記収容部内で該収容部の延びる方向に押しボタンに対して相対的にスライド可能に取り付けられている。閉鎖部材３０は、特に図８に示すように、長手方向の軸に対して略円対称な形状を有する。閉鎖部材３０は、前方部３２と、該前方部よりも大径の後方部３４とを有する。
【００３４】
閉鎖部材の前方部３２は、流動体が流れるダクトを構成する収容部２６の前側部分の内部で延びている。前記ダクトの前側部分は、略円筒形状をなしていて、その軸に垂直な面に沿った断面は円形である。前記ダクトの前側部分は、細長い直線状のスプラインで構成された複数の凸状部３６を備え、これら凸状部３６は、円筒状表面から半径方向に突出しかつスライド方向に延びている。このスプライン３６は互いに離間し、前記ダクトの軸周りに等間隔をおいて配置されている。この構成においては、３本のスプラインが設けられているが、この数に限定されるものではない。それぞれのスプラインの頂部は平坦で、前記閉鎖部材の前方部３２と接触して、閉鎖部材が、３本のスプラインに当接した状態で収容部２６の前側部分の内部でスライドするようにガイドされる。スプライン同士の間であって、閉鎖部材の前方部３２を取り囲む部分において、スプラインは、収容部の前側部分の内部の流動体をノズル３１まで運ぶための流路を形成する。
【００３５】
前記収容部の先端部において、該収容部の内面は、斜角面又は円錐台状部を形成する。閉鎖部材３０の先端部の表面は、相補的な円錐台状であり、前記収容部の先端部がこれを受け入れる。図２及び図３に示すように、閉鎖部材がノズル３１を閉鎖するときには、収容部の表面と閉鎖部材の表面とが互いに当接する。このようにして、ボトルは、流動体１０が漏れないように閉じられる。この位置が、閉鎖部材の前進位置、つまり閉鎖位置である。図４に示すように、流動体を供給する際には、閉鎖部材が後退位置、つまり開放位置に移動し、閉鎖部材の先端部はノズル３１から離れ、流動体がノズルから流出することが可能になる。
【００３６】
閉鎖部材の後方部３４は、軸１４の近傍に位置していて、閉鎖部材の、収容部内での位置に関わらず、ノズル３１から離れている。収容部２６の後側部分には凸状部はなく、よって、閉鎖部材の後方部３４の円筒状の表面と収容部の円筒状表面とが、液漏れが無いように互いに接触している。閉鎖部材３０は、前方部３２と後方部３４との結合部に肩部４０を有する。閉鎖部材の占める位置により、この肩部４０はポンプの搬送圧を受け得る。この搬送圧の影響下で、閉鎖部材の後方部３４は、収容部の後側部分が形成する円筒内をスライドするピストンを構成する。このような構成によって、使用者がボタン１６を押すたびに、流動体が入っているときには、流動体によって伝達されたポンプ圧力が、閉鎖部材を後退させてノズルを開放させようとする。
【００３７】
閉鎖部材３０は、その後方端部において磁石４２を支持している。この構成において、前記磁石は円板状で、閉鎖部材の本体の軸に固定されていて、円対称になっている。
【００３８】
特に図１０に示すように、ディスペンサ装置２は、磁石支持部材４４を備え、本実施形態においては、この磁石支持部材４４には、上部磁石４６と、上部磁石の下方の下部磁石４８とが設けられている。これら２つの磁石は、磁石支持部材の、閉鎖部材３０に対向する側面に固定されている。
【００３９】
前記磁石４２は、閉鎖部材３０に嵌め込まれていてもよく、例えば接着されていてもよく、閉鎖部材を形成する樹脂材料に埋設されていてもよい。磁石支持部材４４の上部磁石４６及び下部磁石４８についても同様であり、これらの磁石は磁石支持部材の空洞部４７に配置されている。
【００４０】
本実施形態においては、ディスペンサ装置は、その目的に合わせた形状となっている押しボタン１６の後部に固定されたカバー５０を備える。本実施形態の押しボタン１６は、平坦な後表面５６から突出する２本の蟻継ぎ用スプライン５４を備える。カバー５０は、２本の蟻継ぎ用溝６０が形成された平坦な前表面５８を備える。この溝６０は、該溝に嵌め入れられるスプライン５４に対して相補的な形状を有している。この組み付けによって、前記カバーを、押しボタン１６の頂部に対し軸方向に当接するまで軸１４に平行にスライドさせることによって、押しボタン１６に固定することが可能となる。前記カバーは、軸１４に平行に延びる収容部５２を有し、前記磁石支持部材がこの収容部に受け入れられる。
【００４１】
軸１４に沿った、ポンプ座部２０に対する押しボタンの押下げ（ストローク）は、図示しない２つの止め具によって押しボタンの２つの端部において制限される。前記止め具は、例えば、ポンプ本体４に配置され得るが、このようにすれば、押しボタンが固定された流出管２２のストロークも制限されることになる。
【００４２】
ディスペンサ装置２は、軸１４に平行な軸を有する螺旋形状の戻しバネ６２を備える。この戻しバネの上端は、カバー５０の底面と軸方向に当接し、下端は、前記磁石支持部材の下側肩部６４と軸方向に当接する。前記戻しバネは、前記磁石支持部材をポンプ座部２０に当接させた状態で保持する。本実施形態においては、この戻しバネは、ポンプを作動させるために該ポンプに設けられかつ流出管２２をポンプ本体４の他の部分に対して上向きに押し上げようとするバネ２１とは無関係の別個のバネであることが理解されるべきである。
【００４３】
このように、磁石支持部材４４は、ポンプ座部２０に対しては定置されており、カバー５０を備える押しボタン１６は、磁石支持部材に対して、軸１４に平行な方向にスライド可能である。
【００４４】
図２及び図３に示すノズル閉鎖位置においては、上部磁石４６と閉鎖部材の磁石４２との位置が揃い、上部磁石４６が、その磁力の相互作用によって、磁石４２を弾き返す（反発させる）ように配置される。このようにして、上部磁石が閉鎖部材をノズル座部に押し付け、ノズルを閉鎖位置に保持する。
【００４５】
反対に、図４に示すように、下部磁石４８は、下部磁石４８と閉鎖部材との位置が揃ったときに、磁石４２を引き付けるように配置されている。このようにして、下部磁石４８は、ノズルを開放して開放位置に保持する。
【００４６】
この構成において、前記帯状部材１１は、互いにつながってディスペンサ装置の主軸１４を取り囲む４つの外表面１２を有する。前記軸に垂直な面に沿った断面において、前記帯状部材は、略矩形状であって該矩形が帯状部材の底部から頂部に向かって小さくなる形状を有する。帯状部材は、これ以外の形状であってもよい。
【００４７】
前記ディスペンサ装置は、以下のように作動する。
【００４８】
使用されていないときには、ディスペンサ装置は、図２及び図３に示すような状態にある。すなわち、同軸上に位置しかつカバー５０の壁のみによって隔てられた磁石４２，４６の影響下で、閉鎖部材３０によってノズル３１が閉じられた状態にある。押しボタン１６は、非押下げ位置にある。押しボタン１６は、主としてバネ２１によって、また部分的には戻しバネ６２によって、非押下げ位置に保持される。
【００４９】
流動体１０をいくらかの量吐出させるときには、使用者は円板１８を押し、ボタンを前記バネの力に逆らって押し下げる。
【００５０】
閉鎖部材の移動を伴うこの動きの間、磁石４２は、磁石４６，４８に対して下方に動く。したがって、磁石４２は、上部磁石４６と同軸上に位置しなくなり、下部磁石４８の位置に揃うようになる。この結果、磁石４２は、カバー５０の壁を通して、その磁石４８の磁力によって引き付けられる。
【００５１】
さらに、上述のとおり、押しボタンの動きによって、スリーブ２４の内部に流動体が運ばれ、スリーブ２４の内部では、流動体の圧力が上昇しようとする。この圧力は、上部磁石４６が磁石４２及び閉鎖部材を弾き返す反発磁力に逆らって、ピストン３４に作用する。
【００５２】
上記引き付け、及び、流動体の圧力から生じる予備荷重は、閉鎖部材を後退させてノズル３１を開放し、流動体をディスペンサ装置から流出させる。使用者がボタンを押し続けている間、下部磁石４８はノズルを開放状態に維持する。
【００５３】
押しボタンの押下げの距離は、磁石４６の中心と磁石４８の中心との間の距離よりも大きい。したがって、押しボタンが完全に押し下げられるよりも前に、ノズルを開放するために閉鎖部材は下部磁石４８よりも低い位置まで下がり、これにより流動体を正常に吐出することが可能になる。
【００５４】
使用者が押すのをやめると、押しボタンは、バネ２１，６２の復元によって押し上げられる。そのため、閉鎖部材は上部磁石４６の高さ位置まで戻り、上部磁石４６の反発力を受ける。これにより、閉鎖部材は、ノズル３１を閉鎖するまでスライドする。
【００５５】
本実施形態において、磁石支持部材４４は、その上部に設けられた２つの突出部７２によって、カバー５０に取り付けられている。磁石支持部材４４は、２つの側方凹部７０によって、ダクト５２の上部内をスライドするようにガイドされる。磁石支持部材を取り付けるには、該磁石支持部材の上部をダクト５２の底部から挿入するが、その際、ダクトの狭い底部に擦れる突出部７２が前記凹部７０に届くまで押し込む。凹部７０では、突出部７２は実質的に摩擦せずにスライドする。所定以上の押下げにおいては、磁石支持部材の下部肩部６４が、カバーに対する上方向の動きを制限する。このようにして、磁石支持部材は、カバー内に係止される。このような構成においては、これら２つの部品は、予め組み立てられた後に運搬されて、ディスペンサ装置２に取り付けられるまで保管されてもよい。
【００５６】
本実施形態において、ディスペンサ装置の組み立ては、以下の通り行われる。
【００５７】
磁石４２を取り付けた閉鎖部材３０を、押しボタンの収容部２６内に、収容部２６の後端部から挿入する。
【００５８】
磁石支持部材に磁石４２，４６を取り付けた後、戻しバネ６２を取り付けて、上述の通り、磁石支持部材をカバー５０内に取り付ける。
【００５９】
それから、カバー５０を、押しボタン１６のスプライン５４上でスライドさせて、閉鎖部材を収容部２６内に封入する。
【００６０】
容器を組み立てるために、ポンプ及び帯状部材１１をボトルに取り付ける。ポンプ及び帯状部材をボトルの首部にスナップ固定すると、帯状部材によってポンプがボトルの首部に固定される。最後に、閉鎖部材３０と磁石とを備えた押しボタン１６を、ポンプの流出管２２に取り付ける。１つの変形例においては、押しボタンとポンプとを予め組み立てておいてから、ポンプをボトルに取り付けてもよい。
【００６１】
磁石４２，４６，４８としては、例えば、Supermagnete社の品番S-02-01-N及びS-03-01-Nの磁石が使用できる。これらの磁石は円板状で、高さ２ｍｍ、直径はそれぞれ２ｍｍ及び３ｍｍである。これらの磁石は、Ｎ４８の磁化であり、吸着力は、それぞれ１３０ｇ及び２１０ｇである。また、他の磁石を使用してもよい。
【００６２】
ピストン３４と収容部２６の後側部分との接触部を適切に封止するためには、適切な製造許容差を設定し、適切な表面状態を実現すればよい。また、封止ガスケットを配置してもよい。
【００６３】
前記の構造は格別に簡単で、部品の数が少ないことが分かる。本実施形態では、作動時に互いに対して可動な部品は、押しボタン１６、閉鎖部材３０、磁石支持部材４４及び戻しバネ６２の４つのみである。
【００６４】
１つ以上の磁石による磁力の相互作用によって作動するよう構成されているので、本発明のディスペンサ装置は、レバーや傾斜路を備える必要がなく、また、閉鎖部材が単に流動体や空気の圧力によって動くような構成を避けることができる。
【００６５】
ポンプの下流からノズルの上流に存在する流動体によって占められるデッド容積は、スリーブ２４の容積と、収容部２６の前側部分の、閉鎖部材によって占められていない容積との合計に過ぎない。つまり、デッド容積は格段に小さい。また、流動体が滞留し得る大きな領域がない。
【００６６】
この構造によって、押しボタンが押し下げられると直ちにポンプを作動させることが可能となる。この意味において、デッドストロークがない。この結果、使用者の操作はより効果的になり、効率が向上する。さらに、流動体が、ポンプを出てからノズル３１を介して供給されるまでの流路が短い。
【００６７】
特に、ノズル３１の前記形状及び前記機構の前記配置によって、流動体がノズルにおいて乾燥してしまうという問題や、流動体がまっすぐに出ない又は噴出してしまうという問題、出てきた流動体に塊が混入するという問題が回避される。
【００６８】
磁石及びバネを除く、ディスペンサ装置の全ての部品は、樹脂材料の射出成形によって作製してもよい。
【００６９】
流動体１０は、化粧品、洗面用品又はケア用品であってよい。流動体１０は、クリーム又は乳濁液であってもよく、顔又は体に使用されるものであってよい。流動体１０は、高粘度であってもよく低粘度であってもよく、更にはペースト状のものであってもよい。
【００７０】
当然のことながら、本発明は、発明の範囲を超えずに種々の変更を行うことが可能である。
【００７１】
磁石支持部材４４は、ポンプ座部２０に固定されていてもよい。磁石支持部材に連動する戻しバネ６２は、省略されてもよい。
【００７２】
ポンプによる圧力によってピストン３４にかけられる漸増的荷重は、無くてもよい。
【００７３】
３つの磁石を設けることは、本発明の実施に必須のものではない。
【００７４】
すなわち、前記磁石支持部材は、前記閉鎖部材の磁石を弾き返して該閉鎖部材を閉鎖位置とするように構成された磁石４６のみを備えていてもよい。例えば、押しボタン及び閉鎖部材に当接するように構成された別の戻しバネを使用して、その戻しバネが閉鎖部材を開放位置に動かすようにしてもよい。反対に、前記磁石支持部材は、閉鎖部材の磁石を引き付けてノズルを開放するように構成された磁石４８のみを備えていてもよい。磁石の反発力が働かない場合には、別の戻しバネが閉鎖部材と協働して、該閉鎖部材を動かしてノズルを閉鎖するようにしてもよい。
【００７５】
別の実施形態においては、２つの磁石４６，４８が１つの磁石として設けられてもよい。この場合、その１つの磁石は、それ自体で、磁石４２の位置に応じて、磁石４２を引き付けたり弾き返したりするように構成すればよい。
【００７６】
閉鎖部材、磁石支持部材、又は他の支持部材のいずれかに配置された１つの磁石を設けることも可能である。この場合、強磁性金属からなる部分がバネの力に逆らってこの磁石に引き付けられるときに、閉鎖部材が動くように構成される。
【００７７】
磁石の直径は、上記した直径以外の大きさであってもよく、また、磁石の形状は、楕円形、長方形又は正方形であってもよい。
【００７８】
収容部２６は、押しボタン１６の前面に開口する円筒形収容部であってもよい。閉鎖部材は、押しボタンの前面から収容部に挿入され、その後、閉鎖部材をガイドするスプライン３６及び流動体供給用ノズル３１の両者を備えた別個の部品が挿入される。このようにすると、閉鎖部材は、上述したのと同様にガイドされる。この構成によれば、押しボタンの残りの部分と一体形成されたカバーを備えた閉鎖部材を製造することが可能になる。
【図１】
2014522316.tif 000003
【図２】
2014522316.tif 000004
【図３】
2014522316.tif 000005
【図４】
2014522316.tif 000006
【図５】
2014522316.tif 000007
【図６】
2014522316.tif 000008
【図７】
2014522316.tif 000009
【図８】
2014522316.tif 000010
【図９】
2014522316.tif 000011
【図１０】
2014522316.tif 000012
【国際調査報告】
2014522316.tif 000013
2014522316.tif 000014
2014522316.tif 000015
2014522316.tif 000016
2014522316.tif 000017
2014522316.tif 000018